(57)【要約】【課題】製本した後のカタログ本の小口端部や背部、表紙面などに対して顧客から個々に提示された読者向けの個人情報を印刷表示したパーソナルなカタログ本を提供し、その様な多種少量カタログ本を比較的安価に提供できるようにする。【解決手段】カタログ本Ａの小口部６又は／及び背部３又は／及び表紙面にインキジェット印字方式にてパーソナルメッセージ、サブパーソナルメッセージ、カタログサブタイトル、キャンペーン情報など読者向けのパーソナル情報７が印字されているカタログ本及びその製造方法。【選択図】図１
2004330668.tif 000002
【特許請求の範囲】
【請求項１】
カタログ本の小口部又は／及び背部に、インキジェット印字方式にてパーソナルメッセージ、サブパーソナルメッセージ、カタログサブタイトル、キャンペーン情報など読者向けのパーソナル情報が印字されていることを特徴とするカタログ本。
【請求項２】
カタログ本の表表紙又は／及び裏表紙の表紙面に、インキジェット印字方式にて宛名、パーソナルメッセージ、利用店舗名など読者向けのパーソナル情報が印字されていることを特徴とするカタログ本。
【請求項３】
カタログ本の小口部又は／及び背部に、インキジェット印字方式にてパーソナルメッセージ、サブパーソナルメッセージ、カタログサブタイトル、キャンペーン情報などが印字され、且つカタログ本の表表紙又は／及び裏表紙の表紙面に、インキジェット印字方式にて宛名、パーソナルメッセージ、利用店舗名など読者向けのパーソナル情報が印字されていることを特徴とするカタログ本。
【請求項４】
請求項１乃至３のいずれか１項記載のカタログ本において、小口部又は／及び背部又は／及び表表紙又は／及び裏表紙の表紙面に、ロゴマーク、キャラクター情報が印字されていることを特徴とするカタログ本。
【請求項５】
カタログ本をその表紙面に対して小口部又は／及び背部を直角姿勢面に保持しつつ搬送手段により搬送しながら、該小口部又は／及び背部の直角姿勢面に対して垂直方向にインキジェット印字手段によりインキを噴射して、該小口部又は／及び背部にパーソナルメッセージ、サブパーソナルメッセージ、カタログサブタイトル、キャンペーン情報など読者向けのパーソナル情報を印字付与することを特徴とするカタログ本の製造方法。
【請求項６】
カタログ本をその表表紙又は／及び裏表紙の表紙面に対して小口部を直角姿勢面に保持しつつ搬送手段により搬送しながら，該表紙面に対して垂直方向にインキジェット印字手段によりインキを噴射して、該表紙面に宛名、パーソナルメッセージ、利用店舗名など読者向けのパーソナル情報を印字付与することを特徴とするカタログ本の製造方法。
【請求項７】
カタログ本をその表紙面に対して小口部を傾斜姿勢面に保持しつつ搬送手段により搬送しながら、該小口部の傾斜姿勢面に対して垂直方向にインキジェット印字手段によりインキを噴射して、該小口部にパーソナルメッセージ、サブパーソナルメッセージ、カタログサブタイトル、キャンペーン情報など読者向けのパーソナル情報を印字付与することを特徴とするカタログ本の製造方法。
【請求項８】
カタログ本をその表紙面に対して小口部を平坦相当表紙面に対して面対称方向の姿勢にある２つの傾斜姿勢面に順次姿勢変換して保持しつつ搬送手段により搬送しながら、該小口部のそれぞれ２つの傾斜姿勢面に対して垂直方向にインキジェット印字手段によりインキを噴射して、該小口部にパーソナルメッセージ、サブパーソナルメッセージ、カタログサブタイトル、キャンペーン情報など読者向けのパーソナル情報を印字付与することを特徴とするカタログ本の製造方法。
【請求項９】
前記インキジェット印字手段によりロゴマーク、キャラクター情報を印字することを特徴とする請求項５乃至請求項８のいずれか１項記載のカタログ本の製造方法。
【発明の詳細な説明】
【０００１】
【発明の属する技術分野】
本発明は、カタログ本の小口面、背部、表紙面に、カタログ情報に関連するパーソナル情報が表示されたカタログ本及びその製造方法に関する。
【０００２】
【従来の技術】
辞典や辞書、カラオケ本などの書物には、その書物の小口端部に掲載内容に基づいて日本語の五十音文字「あ、か、さ、た、な、・・・ん」又はアルファベット文字「Ａ、Ｂ、Ｃ、・・・Ｚ」などのインデックスが設けられ、また、このインデックス文字とともに、この各々インデックス文字によって識別区分された各掲載領域の頁範囲を指定し表示するライン（印刷帯）状やブロック状のインデックスマークが表示されている。
【０００３】
上記インデックス付き書物など小口部に印刷表示部を設けた書物の印刷、製本においては、製本するための製本用の折丁として、予めインデックスを小口端部の端部に相当する個所に印刷表示した折丁を準備し、その折丁を用いて丁合し、綴じ付けし、仕上げ断裁して、書物として製本される。
【０００４】
【特許文献１】
特開２００１−１２１８４１号公報
【０００５】
【発明が解決しようとする課題】
このように、従来の小口部に印刷表示部を設けた書物においては、製本工程にて書物として製本される以前に、書物１冊に使用される製法用の一組の複数部の折丁の小口相当部の端部に対して、印刷工程にて印刷物の小口部に相当する個所にインデックス文字やインデックスマークなどを印刷する必要があり、印刷精度や、製本加工精度、断裁精度を十分に配慮する必要があり、製本能率の向上や製本原価の逓減化の対策に少なからず影響を及ぼすものであった。
【０００６】
特に、印刷、製本加工における生産ロットが多種少量である場合には、製本発注者である顧客の要望に十分に対応できる印刷、製本加工が困難である。
【０００７】
また近年は、顧客から個々に提示された読者向けの個人情報を掲載した絵本などパーソナル本の需要が増しており、このようなパーソナル本においては一般に多種少量生産となる場合が多いため、顧客の要望に十分に対応できる印刷製本加工が困難である。
【０００８】
本発明の課題は、製本した後のカタログ本の小口端部や背部、表紙面などに対して、顧客から個々に提示された読者向けの個人情報を印刷表示したパーソナルなカタログ本を提供するとともに、その様なカタログ本を比較的安価に提供できるようにすることにある。
【０００９】
【課題を解決するための手段】
本発明の請求項１に係る発明は、カタログ本の小口部又は／及び背部に、インキジェット印字方式にてパーソナルメッセージ、サブパーソナルメッセージ、カタログサブタイトル、キャンペーン情報など読者向けのパーソナル情報が印字されていることを特徴とするカタログ本である。
【００１０】
本発明の請求項２に係る発明は、カタログ本の表表紙又は／及び裏表紙の表紙面に、インキジェット印字方式にて宛名、パーソナルメッセージ、利用店舗名など読者向けのパーソナル情報が印字されていることを特徴とするカタログ本である。
【００１１】
本発明の請求項３に係る発明は、カタログ本の小口部又は／及び背部に、インキジェット印字方式にてパーソナルメッセージ、サブパーソナルメッセージ、カタログサブタイトル、キャンペーン情報などが印字され、且つカタログ本の表表紙又は／及び裏表紙の表紙面に、インキジェット印字方式にて宛名、パーソナルメッセージ、利用店舗名など読者向けのパーソナル情報が印字されていることを特徴とするカタログ本である。
【００１２】
本発明の請求項４に係る発明は、上記請求項１乃至３のいずれか１項に係るカタログ本において、小口部又は／及び背部又は／及び表表紙又は／及び裏表紙の表紙面に、ロゴマーク、キャラクター情報が印字されていることを特徴とするカタログ本である。
【００１３】
本発明の請求項５に係る発明は、カタログ本をその表紙面に対して小口部又は／及び背部を直角姿勢面に保持しつつ搬送手段により搬送しながら、該小口部又は／及び背部の直角姿勢面に対して垂直方向にインキジェット印字手段によりインキを噴射して、該小口部又は／及び背部に、パーソナルメッセージ、サブパーソナルメッセージ、カタログサブタイトル、キャンペーン情報など読者向けのパーソナル情報を印字付与することを特徴とするカタログ本の製造方法である。
【００１４】
本発明の請求項６に係る発明は、カタログ本をその表表紙又は／及び裏表紙の表紙面に対して小口部を直角姿勢面に保持しつつ搬送手段により搬送しながら，該表紙面に対して垂直方向にインキジェット印字手段によりインキを噴射して、該表紙面に宛名、パーソナルメッセージ、利用店舗名など読者向けのパーソナル情報を印字付与することを特徴とするカタログ本の製造方法である。
【００１５】
本発明の請求項７に係る発明は、カタログ本をその表紙面に対して小口部を傾斜姿勢面に保持しつつ搬送手段により搬送しながら、該小口部の傾斜姿勢面に対して垂直方向にインキジェット印字手段によりインキを噴射して、該小口部に、パーソナルメッセージ、サブパーソナルメッセージ、カタログサブタイトル、キャンペーン情報など読者向けのパーソナル情報を印字付与することを特徴とするカタログ本の製造方法である。
【００１６】
本発明の請求項８に係る発明は、カタログ本をその表紙面に対して小口部を平坦相当表紙面に対して面対称方向の姿勢にある２つの傾斜姿勢面に順次姿勢変換して保持しつつ搬送手段により搬送しながら、該小口部のそれぞれ２つの傾斜姿勢面に対して垂直方向にインキジェット印字手段によりインキを噴射して、該小口部にパーソナルメッセージ、サブパーソナルメッセージ、カタログサブタイトル、キャンペーン情報など読者向けのパーソナル情報を印字付与することを特徴とするカタログ本の製造方法である。
【００１７】
本発明の請求項９に係る発明は、上記請求項５乃至請求項８のいずれか１項に係るカタログ本の製造方法において、前記インキジェット印字手段によりロゴマーク、キャラクター情報を印字することを特徴とするカタログ本の製造方法である。
【００１８】
【発明の実施の形態】
本発明のカタログ本を、実施の形態に従って以下に詳細に説明すれば、図１は本発明のカタログ本Ａの斜視図であり、平綴じ形式、中綴じ形式、ミシン綴じ形式、無線綴じ形式（綴じ用金属線、縫い糸など製本用綴じワイヤ（線）を使用しない接着糊剤による綴じ形式）などの適宜綴じ形式にて製本綴じ付けされた本であって、表紙（表表紙１と裏表紙２と背表紙３）の内部に背表紙３側にて綴部４にて綴じられた本文頁紙葉部５がくるまれて製本されている。
【００１９】
前記カタログ本Ａの背表紙３に対して対向する小口部６（又は天地小口部のいずれか１方又は両方）には、そのカタログ本Ａのカタログ掲載内容に関連するパーソナルメッセージ、サブパーソナルメッセージ、カタログサブタイトル、キャンペーン情報（例えば店舗別キャンペーン情報）などカタログ読者向けのパーソナル情報７が、インキジェット印字方式にて印字される。
【００２０】
例えば、パーソナルメッセージとしては、ポイント（ポイントカードの取得ポイント数など）の告知、購入履歴のセグメント化により顧客が興味を示しそうなコンテンツの紹介、ブラント紹介などがあり、例えば、図１に示すように、小口部６には、図１に示すように「バーゲンセール中」、あるいは「商品キャンペーン実施中」など、顧客へのサービスセール情報や販売促進情報など情報表示のための印字がされている。
【００２１】
また、前記カタログ本Ａの背表紙３の表面にも、カタログ本のタイトルをはじめとして、パーソナルメッセージ、サブパーソナルメッセージ、カタログサブタイトル、キャンペーン情報などカタログ読者向けのパーソナル情報７が、インキジェット印字方式にて印字されていてもよい。
【００２２】
また、カタログ本Ａの表表紙１又は／及び裏表紙２にも、カタログ本のタイトルをはじめとして、カタログ本が送付されるカタログ読者（カタログ販売や通信販売の利用者）の宛名や、パーソナルメッセージ、利用店舗名など読者向けのパーソナル情報７がインキジェット印字方式にて印字されている。
【００２３】
また、本発明のカタログ本Ａの小口部６又は／及び背表紙３又は／及び表表紙１又は／及び裏表紙２の表紙面には、カタログに掲載されている販売商品の製造者や販売者を表示する商標、ロゴマーク、キャラクター情報９などがインキジェット印字方式にて印字されている。
【００２４】
本発明のカタログ本Ａにおいて、上記パーソナル情報７やキャラクター情報９は、本Ａを製本後又は製本仕上げ断裁後に、小口部６（天地小口部）、背表紙３又は／及び表表紙１又は／及び裏表紙２に対して、インキジェット印字方式にて印字工程にて印字される。
【００２５】
本発明のカタログ本Ａの小口部６に設けたパーソナル情報７の文字の形状は、その本Ａを平坦状態にして、本Ａの表紙面に対して小口部６を直角面にした場合において、その小口部６（小口面）にて縦長又は偏平ではない正常な歪みの無い正しい文字形状を呈するように設けるようにしてもよいし、本Ａの表紙面に対して小口部６を傾斜面にした場合において、その小口部６（小口面）にて縦長又は偏平ではない正常な歪みの無い正しい文字形状を呈するように設けるようにしてもよい。
【００２６】
図２は、カタログ本Ａの小口部６に対してパーソナル情報７をインキジェット方式にて印字してカタログ本Ａを製造する製造方法を説明する斜視図であり、Ｘ１  （前後）−Ｙ１  （上下）方向に移動走査可能な走査型のインクジェット印字手段Ｂと、印字された後の本ＡをＸ２  方向に搬送する搬送手段Ｃとを使用する。
【００２７】
本Ａを平坦にして、その小口部６（製本小口断裁仕上げ面）を平坦な表紙に対して直角に保持し、その小口部６に対して垂直方向にインキジェット印字手段Ｂによりパーソナル情報７を印字付与する。
【００２８】
小口部６に対して垂直方向に、水平方向に出力印字する１乃至２基以上複数基のインキジェット印字手段Ｂと、該印字手段Ｂの側方に、本Ａをその小口部６を垂直にして保持し、矢印方向Ｘ２  に搬送する搬送手段Ｃとを備える。なお、本Ａの小口部６が少なくともほぼ垂直になるように搬送手段Ｃに載置されるならば、その本Ａは搬送手段Ｃに対して図示するように平坦状態に載置されてもよいし、湾曲状態に載置されてもよい。
【００２９】
図３は、カタログ本Ａの小口部６（製本小口断裁仕上げ面）を水平にし、その小口部６にパーソナル情報７を印字してカタログ本Ａを製造する製造方法を説明する側面図であり、パーソナル情報７を出力印字する１乃至２基以上複数基のインキジェット印字手段Ｂと、該印字手段Ｂの下方（又は上方）に本Ａをその小口部６を水平にして搬送する搬送手段Ｃとを備える。なお、本Ａの小口部６が、少なくともほぼ水平になるように搬送手段Ｃに載置されるならば、その本Ａは搬送手段Ｃに対して垂直状態に載置されてもよいし、あるいは図３に示すように、カタログ本Ａを、搬送手段Ｃに対して湾曲状態にそれぞれ矢印Ｊ、Ｋ、Ｌ、Ｍ、Ｎ方向から支持した状態で載置されてもよい。
【００３０】
上記印字手段Ｂはインクジェットプリンターを用い、定位置に固定された定位置印字型、あるいは図２にて破線で示すように、水平方向に向かって出力し、Ｘ１  （前後）若しくはＹ１  （上下）方向、又はＸ１  （前後）−Ｙ１  （上下）方向に移動走査可能な走査型、又は図３に示すように垂直下方に向かって出力するものである。なお、印字手段Ｂの印字方向（インキ付着方向、印圧方向）は、印字すべき小口部６に対してほぼ垂直であれば特に限定されるものではなく、図４に示すように水平方向、垂直下向き方向、垂直上向き方向などいずれでもよい。
【００３１】
搬送手段Ｃは、例えば、ベルトコンベア、ローラコンベア、バケット型コンベアなど適宜形式の搬送手段Ｃが使用でき、定位置に固定された定位置印字型、あるいは実線で示すようにＸ２  （前後）方向若しくはＹ２  （上下）方向、又はＸ２  （前後）−Ｙ２  （上下）方向に連続移動若しくは間欠移動可能な可動型である。
【００３２】
【実施例】
以下に、図２、図３に基づいて、上記インキジェット印字手段Ｂと搬送手段Ｃを用いて本Ａの小口部６にパーソナル情報７を形成する方法の実施例について説明する。
【００３３】
＜実施例１＞
Ｘ１  （前後）−Ｙ１  （上下）方向に移動走査可能な走査型のインクジェットプリンター印字手段Ｂと、カタログ本ＡをＸ２  方向に搬送する搬送手段Ｃとを使用した。
【００３４】
図２に示すように、まずカタログ本Ａを、その小口部６を印字手段Ｂ側に対向させて搬送手段Ｃ上に、水平に平坦状態で載置し、小口部６を表紙１、２に対して直角姿勢にした後、搬送手段ＣをＸ２  方向における前進又は後退方向に搬送動作させて、本Ａの小口部６の印字を開始すべき位置と印字手段Ｂの印字ヘッド部（ジェットインキＩの噴射点）が正対する位置まで本Ａを搬送移動させて停止させた。
【００３５】
続いて、印字手段Ｂを制御するための印字制御部（予めカタログ本Ａの位置に対応して入力した印字手段Ｂを印字制御するための制御データと、パーソナル情報データを記憶し、該データに基づいて印字手段Ｂを印字制御する印字制御信号を発生する制御部）から印字制御信号を印字手段Ｂに出力し、その制御信号に基づいて印字手段ＢをＸ１  （前後）−Ｙ１  （上下）方向に移動走査し、本Ａの小口部６の頁紙葉５に向かってジェットインキＩ（小滴状の液状着色インキ）を噴射してパーソナル情報７を印字し、図１に示すようなパーソナル情報７を付与したカタログ本Ａを製造した。
【００３６】
＜実施例２＞
図２に示すＸ１  （前後）−Ｙ１  （上下）方向に移動走査可能な走査型のインクジェットプリンター印字手段Ｂの印字方向を垂直に配置した印字手段Ｂ（Ｘ１  （前後）−Ｙ１  （左右）方向の水平面内を移動走査可能）と、その下方に配置されたカタログ本ＡをＸ２  方向に搬送する搬送手段Ｃとを使用した。
【００３７】
図３に示すように、まずカタログ本Ａを搬送手段Ｃ上に一方向に湾曲（矢印Ｊ、Ｋ、Ｌ、Ｍ、Ｎ方向から支持）させた状態で載置し、小口部６の頁紙葉５をずれ重ね状態にし、その本Ａの表紙１、２に対して小口部６（小口面）を傾斜姿勢にして、その小口部６を水平にして印字手段Ｂ側に対向させた後、搬送手段Ｃを搬送動作させ、本Ａの小口部６の印字を開始すべき位置と印字手段Ｂの印字ヘッド部（ジェットインキＩの噴射点）が正対する位置まで本Ａを搬送移動させて停止させた。
【００３８】
続いて、印字手段Ｂを制御するための印字制御部（予め本Ａの位置に対応して入力した印字手段Ｂを印字制御するための制御データと、パーソナル情報データを記憶し、該データに基づいて印字手段Ｂを印字制御する印字制御信号を発生する制御部）から印字制御信号を印字手段Ｂに出力し、その制御信号に基づいて印字手段ＢをＸ１  （前後）−Ｙ１  （左右）方向に移動走査し、本Ａの小口部６のずれ重ね状態の頁紙葉５に向かってジェットインキＩ（小滴状の液状着色インキ）を噴射して、パーソナル情報７を印字し、図１に示すようなパーソナル情報７を付与したカタログ本Ａを製造した。
【００３９】
＜実施例３＞
図２に示すＸ１  （前後）−Ｙ１  （上下）方向に移動走査可能な走査型のインクジェットプリンター印字手段Ｂの印字方向を垂直に配置した印字手段Ｂ（Ｘ１  （前後）−Ｙ１  （左右）方向の水平面内を移動走査可能）と、その下方に配置されたカタログ本ＡをＸ２  方向に搬送する搬送手段Ｃとを使用した。
【００４０】
図３に示すように、まずカタログ本Ａを搬送手段Ｃ上に一方向に湾曲（矢印Ｊ、Ｋ、Ｌ、Ｍ、Ｎ方向から支持した）状態で載置し、小口部６の頁紙葉５をずれ重ね状態にし、その本Ａの表紙１、２に対して小口部６（小口面）を傾斜姿勢にし、その小口部６を水平にして印字手段Ｂ側に対向させた後、搬送手段Ｃを搬送動作させ、本Ａの小口部６の印字を開始すべき位置と印字手段Ｂの印字ヘッド部（ジェットインキＩの噴射点）が正対する位置まで本Ａを搬送移動させて停止させた。
【００４１】
続いて、印字手段Ｂを制御するための印字制御部（予め本Ａの位置に対応して入力した印字手段Ｂを印字制御するための制御データと、パーソナル情報データを記憶し、該データに基づいて印字手段Ｂを印字制御する印字制御信号を発生する制御部）から印字制御信号を印字手段Ｂに出力し、その制御信号に基づいて印字手段ＢをＸ１  （前後）−Ｙ１  （左右）方向に水平移動走査し、本Ａの小口部６のずれ重ね状態の頁紙葉５に向かって下向きにジェットインキＩ（小滴状の液状着色インキ）を噴射して、パーソナル情報７を印字した。
【００４２】
次に、図３に示す本Ａを搬送手段Ｃ上に他方向（図５に示す前記一方向と反対方向の点線で示す方向）に湾曲（矢印Ｊ、Ｋ、Ｌ、Ｍ、Ｎ方向から支持）させた状態で載置し、小口部６の頁紙葉５をずれ重ね状態にし、その本Ａの表紙１、２に対して小口部６（小口面）を傾斜姿勢（表紙面に対する小口端面の傾斜姿勢面が平坦相当の表紙面に対して、面対称の関係にある姿勢又は略面対称の関係にある姿勢、あるいは必ずしも面対称にはないが面対称となる方向にある姿勢など、面対称方向の姿勢にある２つの傾斜姿勢面）にし、その際に小口部の領域が印字手段Ｂに対して位置変動しないように（表表紙１と裏表紙２の両側から小口部６を保持）し、その小口部６を水平にして印字手段Ｂ側に対向させた後、搬送手段Ｃを搬送動作させ、本Ａの小口部６の印字を開始すべき位置と印字手段Ｂの印字ヘッド部（ジェットインキＩの噴射点）が正対する位置まで本Ａを搬送移動復帰させて停止させた。
【００４３】
続いて、印字制御信号を印字手段Ｂに出力し、その制御信号に基づいて印字手段ＢをＸ１  （前後）−Ｙ１  （左右）方向に移動走査し、本Ａの小口部６のずれ重ね状態の頁紙葉５に向かってジェットインキＩ（小滴状の液状着色インキ）を噴射して、パーソナル情報７を印字し、図１に示すようなパーソナル情報７を付与したカタログ本Ａを製造した。
【００４４】
このようにして、一方向とその反対方向とにそれぞれ彎曲させた前記カタログ本Ａの小口部６に対して、パーソナル情報７の印字を終了した後は、搬送手段Ｃを搬送動作させて、後続する次の本Ａを図５に示すように前記同様に一方向に彎曲させた後、その小口部６の印字を開始すべき位置と印字手段Ｂの印字ヘッド部（ジェットインキＩの噴射点）が正対する位置まで、本Ａを搬送移動させて停止させた後、上記印字動作を行い、以下同様にして印字操作を行い、後続の各々本Ａの小口部６のずれ重ね状態の頁紙葉５に対して、パーソナル情報７を順次印字付与した。
【００４５】
【発明の効果】
本発明のカタログ本は、製本した後の平坦状態の本の小口部（小口面）や背部に対し、あるいは表紙面に対して、インキジェット印字方式によりパーソナル情報を印字したものであり、製本後の本に対してパーソナル情報を印字することができるため、印刷工程や製本工程、あるいは製本環境に規制されずに自由度を以て、顧客から提示された各種形態のパーソナル情報や各種形態のロゴマークなどを、カタログ本に対して選択付与することができる効果がある。
【００４６】
また、従来は、製本工程に使用する製本用の折丁や印刷紙葉における製本後に小口部となる領域に、印刷工程にてパーソナル情報を印刷する必要があったが、本発明の製造方法によれば、それが不要になり、パーソナル情報を製本後の本に対して印字できるので、カタログ販売や通信販売やネット販売を利用したり、そのカタログ本を閲覧利用する個々の顧客向けのパーソナルなカタログ本を製造する場合における少量生産ロットや多種少量の生産ロットに対する製本能率の向上及び製本原価の逓減化に対して絶大な効果を発揮するものである。
【図面の簡単な説明】
【図１】本発明のカタログ本の全体斜視図。
【図２】本発明のカタログ本の小口端部にインデックスを印字する方法を説明する斜視図。
【図３】本発明のカタログ本の小口端部にインデックスを印字する方法を説明する斜視図。
【符号の説明】
１…表表紙  ２…裏表紙  ３…背表紙  ４…綴部  ５…頁紙葉  ６…小口部
７…パーソナル情報
Ａ…本    Ｂ…印字手段  Ｃ…搬送手段
【図１】
2004330668.tif 000003
【図２】
2004330668.tif 000004
【図３】
2004330668.tif 000005